(57)【特許請求の範囲】
【請求項１】
光の束を入力する入力部と、
前記入力部から出力された光束の特定の波長の光路を各々が切り替える複数の
移動光学部材と、
前記複数の移動光学部材を前記光路を切り替えるために移動させる駆動制御手段と、
前記複数の移動光学部材から出力された前記光束を出力する出力部と、
を有し、前記移動光学部材を前記光束に対して直列方向に千鳥状に複数配置したことを特徴とする光スイッチ。
【請求項２】
前記入力部が並列方向に複数ある請求項１記載の光スイッチ。
【請求項３】
前記移動光学部材は圧電アクチュエータを有する請求項１記載の光スイッチ。
【請求項４】
前記圧電アクチュエータは、伸縮振動を生じる圧電体と、前記圧電体に生じる前記伸縮振動により駆動する移動体と、を有する請求項３記載の光スイッチ。
【請求項５】
前記圧電アクチュエータは回転型である請求項３記載の光スイッチ。
【請求項６】
前記圧電アクチュエータは直動型である請求項３記載の光スイッチ。
【請求項７】
前記駆動制御手段は、前記圧電アクチュエータの駆動を準備するための予備信号を発生する請求項３ないし６のいずれかに記載の光スイッチ。
【請求項８】
前記駆動制御手段は自励発振回路を有する請求項３ないし７のいずれかに記載の光スイッチ。
【請求項９】
前記移動光学部材を移動可能に支持する支持部材を備え、
前記支持部材に前記駆動制御手段の少なくとも一部を有する請求項１ないし８のいずれかに記載の光スイッチ。
【請求項１０】
請求項１ないし９のいずれかに記載の光スイッチの制御方法であって、複数の移動光学部品を同時に駆動する光スイッチの制御方法。
【発明の詳細な説明】
【０００１】
【発明の属する技術分野】
本発明は、例えば高密度光波長多重方式の光ネットワークに用いられる光スイッチ及びその制御方法に係り、詳細には、小型で多機能化した光スイッチ及びその制御方法に関する。
【０００２】
【従来の技術】
近年、インターネット等の急速な普及に伴い、通信伝送方式は光ファイバーを用いた方式に移行しつつある。また、さらなる伝送容量の高密度化を目的として、光多重変換を用いたＷＤＭ（Wevelength Division Maultiplexing）伝送方式が採用されつつある。ＷＤＭ方式を採用するには、波長の異なる光信号を合成／分波、切換、減衰等する光制御通信モジュールが不可欠となる。
【０００３】
光の切換を行う光スイッチの従来例としては、例えば特開平４−３０１８１２号公報や特開平４−２６４４１５号公報に開示された技術がある。前者の光スイッチは、格子状に導波路を形成し、導波路の交点にスリットを設け、このスリットに水銀とシリコン及び空気を移動自在に介在させ、これらを加熱して移動させて導波路に介在する水銀又はシリコンを切り替えることで、光を制御する構成である。後者のスイッチは、導波路の交点に連通管を設け、この連通管中に液体を隙間を空けて充填（封止）し、この液体を加熱してその一部を気化させ前記隙間の大きさを調節することで、光を制御する構成である。
【０００４】
【発明が解決しようとする課題】
しかし、上述した２つの光スイッチは、導波路やスリット、ギャップを正確に形成（配置）しなければならず、さらに、水銀等や液体を封止する必要があった。このため、製造が難しいという問題点があった。
また、水銀等や液体の温度を精密に制御する必要があったため、加熱機構や温度センサ、その制御機構等、光スイッチ本体以外の付帯機構は大型化し、また、部品点数も多くなっていた。すなわち、光スイッチ全体として小型化することは難しく、また、製造も煩雑であるという問題点もあった。
本発明の課題は、小型で生産性の高い光スイッチと、その制御方法を提供することである。
【０００５】
【課題を解決するための手段】
以上の問題点を解決するため、本発明に係る光スイッチは、光束を入力する入力部と、前記入力部から出力された光束の特定の波長を遮る位置に可動である光路変換特性を持つ光学部品と、前記光学部品により特定の波長の光路が変換された場合とされない場合のそれぞれに対応して設けられた出力部と、前記光学部品を別個に駆動する駆動手段と、この駆動手段を介して前記光学部品の配置を制御し、光束出力先となる前記出力部を選択する駆動制御手段と、を備えることを特徴し、温度センサ等を必要としないため小型化でき、また、導波路等、従来ほどの精密製造工程を必要とする部材がないため、生産性が高くなる。
【０００６】
ここで、光学部品を、光束に対して直列方向に複数備え、出力部を光学部品の各々に対応して備える構成にしてもよく、入力部を複数並列方向に備え、光学部品を入力部からの特定の波長の光束の各々に対応して備える構成としてもよい。
最も汎用的な構成としては、入力部を２個並列方向に備え、出力部を入力部に対向する位置に２個並列方向に備え、特定の波長の光束の出力先を決定する光学部品を各光束につき２つずつ備える構成が例示される。この構成とした場合は、この光スイッチを複数個、例えばマトリックス状に接続することでさらに大規模の光スイッチを構成できる。
【０００７】
また、駆動手段を複数備える場合、前後する光学部品と駆動手段とが干渉しないように光学部品間隔を広げる必要があるが、光束に対して前後する駆動手段を、同一の光学部品間に千鳥状に配置すると、光学部品の間隔を狭くできる。すなわち、光スイッチをさらに小型化できる。
この場合、駆動手段を光学部品に対して組み付けた移動光学部材を、駆動手段が光束を挟んで同一の光学部品間に位置するように千鳥状に配置する構成とすると、組立時の生産性が向上する。
【０００８】
また、駆動手段としては、例えば圧電アクチュエータを用いる。この場合、伸縮振動を生じる圧電体と、この圧電体に生じる伸縮振動により摩擦駆動する移動体とを備える構成とすると、小型で高トルクな駆動手段となるため、より光スイッチを小型化できる。より具体的には、回転型や直動型の圧電アクチュエータを用いる。
【０００９】
また、駆動手段が圧電アクチュエータの場合、以下の構成にできる。
まず、制御手段を、予備信号を駆動前に入力する構成としてもよい。この場合は、圧電アクチュエータは予備信号によりウオーミングアップされて応答性がよくなっているため、光スイッチの応答性を向上させることができる。
また、制御手段を自励発振回路を備える構成とすると、より効率よく圧電アクチュエータを駆動できる。
【００１０】
また、光学部品を移動可能に支持する支持部材を備え、この支持部材に制御手段を設けると、スペースの有効利用となり光スイッチをより小型化できる。
【００１１】
また、上述した光スイッチにおいて、複数の光学部品を同時に駆動させるように制御すると、光学部品の切換に必要な時間を短縮できる。すなわち、光通信機器の応答性を向上させることができる。
【００１２】
【発明の実施の形態】
〔第１の実施の形態〕
まず、構成の概略をブロック図を用いて説明する。
図１及び図２ＡおよびＢに示すように、光スイッチ１は、光束１００を入力する入力部１０と、入力した光束１００のうち特定の波長の光束を、各々が略９０度ほど折り曲げる複数の移動光学部材２０と、各移動光学部材２０の位置を制御する駆動制御手段３０と、光束１００の出力先となる複数の出力部４０と、により概略構成される。すなわち、光スイッチ１は、入力部１０から入力された光束１００の進行方向を移動光学部材２０で決定した後、出力部４０から出力する光スイッチである。
ここで、移動光学部材２０は、図２Ｂに示すように、直進した場合の光束１００に対して直列に配置されている。また、出力部４０は、光束１００が直進した場合に光束１００を出力する。また、出力部４０は、移動光学部材２０によって進行方向を変更された場合に、光束１００を出力する。従って、出力部４０は、移動光学部材２０が光束１００の進行方向を変更するか否かに対してそれぞれ設ける。
【００１３】
入力部１０は、図２Ｂに示すように、光ファイバ１０ａ及びレンズ１０ｂを備える。出力部４０も同様に光ファイバ４０ａ及びレンズ４０ｂを備える。
【００１４】
移動光学部材２０は、光学部品２１及び超音波アクチュエータ２２とにより構成され、超音波アクチュエータ２２で光学部品２１を光信号を遮断する位置まで動かしたり、或いは遮断する位置から除いたりすることで光信号を制御する。移動光学部材２０は、図２Ａに示すように支持部材２０ａ（図２Ｂでは図示を省略）の側面に取り付けられる。
【００１５】
光学部品２１は、例えばスリット或いはミラーであり、光束１００を遮断する位置に配置されたときに光束１００を屈折或いは反射して、その光路を略９０゜折り曲げ、対応する出力部４０から光束１００を出力させる。また、単一の部品のみならず、複数の部品から構成することも可能である。例えば図２では、光学部品２１は光路を変換させる機能を有する光学部材２１aと、透過波長・吸収波長・光量・位相などの光学的特性のうち少なくとも１つの特性を有する光学部材２１ｂからなり、光路の変換とともに光の制御を同時に行うことを可能としている。
【００１６】
超音波アクチュエータ２２は、例えば回転型の圧電アクチュエータであり、図２及び図３に例示するように、固定台２２ａの上に固定された円板上の圧電素子２２ｂと、圧電素子２２ｂと一体に設けられた振動体２２ｃと、振動体２２ｃの上に載置された移動体２２ｄと、振動体２２ｃと移動体２２ｄとの接触圧を確保する加圧手段２２ｅと、により概略構成される。圧電素子２２ｂ上面に生ずる屈曲振動は振動体１１ｃで増幅され、振動体１１ｃ上の突起（不図示）から移動体２２ｄへ駆動力として出力される。また、移動体２２ｄは一端に光学部品を固定保持する。
【００１７】
ここで、超音波アクチュエータ２２の移動体２２ｄは棒状であり、その中央付近を回転軸として回転する。なお、本発明に係る移動体は、用途に応じて複数の部材で構成してもよい。
【００１８】
また、支持部材２０ａ側面には移動体２２ｄの他端の回転円周上に、該他端を挟むように二つの突起２０ｂが設けられている。すなわち、移動体２２ｄは、突起２０ｂは二つの突起２０ｂによって回動範囲が制限される。突起２０ｂの一方は、移動体２２ｄの一端に設けられた光学部品２１が、支持部材２０ａ側端近傍の光束１００を遮断する場所に位置するように設置され、突起２０ｂの他方は、移動体２２ｄ及び光学部品２１が光束１００と干渉しない場所である待避位置に位置するように設置される。また、この構造により、移動体２２ｄの一次モーメントを低減できる。
【００１９】
駆動制御手段３０は、図１に示すように、例えば駆動回路３１及び制御手段３２で構成される。
【００２０】
このうち、駆動回路３１は図４に例示する周知の自励発振回路であり、圧電素子２２ｂの圧電振動によって生じる両面間の周期的電圧変動を増幅して圧電素子２２ｂ自身の駆動信号として用いる。駆動回路３１は、例えばＩＣ化され、光スイッチ１の基板１ａ上に取り付けられる。
【００２１】
ここで、駆動回路３１中の反転増幅器３１ａおよび増幅器３１ｂは制御手段３２によって制御される。これにより、超音波アクチュエータ２２は制御手段３２により制御されることになる。
【００２２】
また、制御手段３２は、超音波アクチュエータ２２を制御することで各光学部品２１を回転移動させるが、この際、切換時間短縮のため、新たな光学部品２１を光束１００を遮断する位置に配置すると同時に、光束１００を遮断する位置に配置されていた光学部品２１を待避位置まで戻す。
【００２３】
また、制御手段３２は、超音波アクチュエータ２２を本駆動して光学部品２１を回転移動する前に、超音波アクチュエータ２２に対し予備信号を入力する。予備信号が入力されることにより、超音波アクチュエータ２２はウオーミングアップされた状態となり、本駆動のための駆動信号を入力した時の応答性が向上する。
ここで、予備信号としては、本駆動の方向とは反対方向の駆動信号や、移動体２２ｄが移動しない程度の微弱な駆動信号がある。前者の場合は、駆動力は移動体２２ｄを突起２０ｂに押しつけることになり、移動体２２ｄを移動させない。
【００２４】
上述した構成の光スイッチ１によれば、各移動光学部材２０を適宜制御することで、光束１００を遮断する位置に配置される光学部品２１を適宜選択して、光束１００の出力先となる出力部４０を切り替えられる。すなわち、光スイッチとして機能する。
また、光スイッチ１は、温度センサ等を必要としないため小型化でき、導波路等、従来ほどの精密製造工程を必要とする部材がないため、生産性が高くなる。
また、超音波アクチュエータ２２に通電して動作させなくても光束１００の制御状態を維持できる。従って、光スイッチ１の消費エネルギーを削減できる。
なお、入力の光束と出力の光束の角度は、光学部品２１の特性によっては９０度とは限らない。また、光学部品２１は、プリズムでも平板でも良い。さらに、移動光学部材２０は光学部品２１の特性に合わせ、入力の光束に対し所定の角度で配列するものとする。
【００２５】
〔第２の実施の形態〕
本発明の第２の実施の形態における光スイッチ１は、概略は第１の実施の形態における光スイッチ１と同様の構成である。特に、図５に示すように、移動光学部材２０に突起２０ｂを設けずにエンコーダ２３を設け、制御手段３２に、エンコーダ２３からの検出結果を基に超音波アクチュエータ２２を制御する機能を持たせた構成である。
【００２６】
エンコーダ２３は、移動体２２ｄと共に回転するスリット２３ａと、スリット２３ａの回転量を検出する周知の光タイプの回転量検出器２３ｂとにより構成される。回転量検出器２３ｂの検出結果は、制御手段３２に送信される。
【００２７】
本実施の形態によれば、第１の実施の形態と同様の効果を得るほか、任意の角度に移動体２２ｄを制御できる。また、突起２０ｂと移動体２２ｄの接触に伴う不具合が生じる可能性もなくなる。
【００２８】
〔第３の実施の形態〕
本発明の第３の実施の形態である光スイッチ２は、光スイッチ１と概略同じ構成であるが、図６Ａに示すように、移動光学部材２０の代わりに移動光学部材５０を用いている。また、駆動回路３１は光スイッチ２の基板２ａ上に直接設けられている。
【００２９】
移動光学部材５０は、図６Ｂに示すように、光学部品２１を、直動型の圧電アクチュエータである超音波アクチュエータ５１により、光束１００に交わる方向に直線的に移動させる構成である。
超音波アクチュエータ５１は、直方体状の圧電素子及び振動体を備えており、前記した圧電素子上面に生ずる屈曲振動を前記振動体で増幅し、振動体上の突起５１ａから屈曲振動を駆動力として出力する。
【００３０】
ここで、光学部品２１は基板２ａ上に立設された２つのストッパ部材２ｂで挟まれており、これらストッパ部材２ｂの間で移動可能となっている。
一方のストッパ部材２ｂは、光学部品２１が光束１００を遮る位置まで移動してきたときに、光学部品２１に当接するよう位置決めされており、他方のストッパ部材２ｂは、光学部品２１が光束１００を遮る位置から外れたときに、光学部品２１に当接するよう位置決めされている。
また、制御手段３２による予備信号は、光スイッチ１における微弱な駆動信号の他、光学部品２１がストッパ部材２ｂに当接する方向に駆動させる信号となる。
【００３１】
すなわち、光スイッチ２によれば、超音波アクチュエータ５１を駆動して光束１００を遮るよう配置された光学部品２１を切り替えることで、光スイッチ１と同様の効果を得る。
【００３２】
〔第４の実施の形態〕
本発明の第４の実施の形態である光スイッチ３は、光スイッチ１と概略同じ構成であるが、図７Ａ及びＢに示すように、移動光学部材２０を、光束１００を挟んで互い違いに配置し、駆動回路３１を、光スイッチ３の小型化を目的として、支持部材２０ａの側面、好ましくは移動光学部材２０取付側の側面に取り付けた構成である。
【００３３】
入力部１０は、移動光学部材２０よりやや上方に設けられている。したがって、光束１００は移動光学部材２０やや上方を伝搬する。
また、光学部品２１は光束１００を上方に折り曲げる向きに超音波アクチュエータ２２に組み付けられている。
また、出力部４０は移動光学部材２０上方に設けられている。
すなわち、光束１００は、上方に回動した光学部品２１により上方に折り曲げられ、出力部４０から出光する。
【００３４】
また、図２Ｂに示すように、移動光学部材２０取付側の支持部材２０ａ側面は、移動光学部材２０が光束１００に対してどちら側に位置するかで一義的に決まっており、光束１００を挟んで反対となっている。これにより、移動光学部材２０を設置するために必要な間隔を狭くできる。
【００３５】
従って、光スイッチ３によれば、光スイッチ１と同様の効果を得るほか、さらに小型化できる。
【００３６】
〔第５の実施の形態〕
本発明の第５の実施の形態である光スイッチ４は、図８及び図９に概略を示すように、複数の移動光学部材２０をマトリックス状に配置し、さらに、マトリックス状に配置された移動光学部材２０の隣接する２辺に近接して、出力部４０を各移動光学部材２０の行又は列毎に設置し、さらに、残る辺の１つに入力部１０を各移動光学部材２０の行又は列毎に設置したものである。
すなわち、図９に示すように、光スイッチ４は、移動光学部材２０を適宜制御することで、各入力部１０から入力された光束１００を所望の出力部４０から出力させるＭ×Ｎ型の光スイッチであり、一つで複数の光束１００（すなわち光信号）に対応できる。従って、大規模な回線に対応する場合に、光スイッチ設置に必要なスペースを削減できる。
【００３７】
〔第６の実施の形態〕
本発明の第６の実施の形態である光スイッチ５は、図１０に示すように、光スイッチ４と同形式の光スイッチであり、２×２型である。
光スイッチ５によれば、光スイッチ４と同様の効果を得るほか、図１１に示すように、光スイッチ５を同一方向に向けてマトリックス状に配置することで、更に複雑な光スイッチを容易に構成できる。すなわち、光スイッチ５を基本パーツとし、光スイッチ５を組み合わせることで、様々なタイプの光スイッチを低コストで製造することができる。ここで、光スイッチ４もそのパーツに含めることでさらに様々なタイプの光スイッチを製造できる。
【００３８】
なお、本発明は以上の各実施の形態に限定されるものではなく、各構成要素の具体的配置等についても、本発明の趣旨を逸脱しない範囲で適宜に変更可能であることは勿論である。
例えば、各超音波アクチュエータの消費電力量及び駆動方向から各移動体の移動量すなわち光学部品の位置情報を得る構成としてもよい。
また、第２の実施の形態における光スイッチ１において、突起２０ｂを備える構成としてもよい。この場合は、突起２０ｂによって移動体２２ｄの位置決めが行われ、移動体２２ｄの位置をエンコーダ２３で認識する構成となる。
【００３９】
【発明の効果】
以上、本発明に係る光スイッチによれば、温度センサ等を必要としないため小型化でき、また、導波路等、従来ほどの精密製造工程を必要とする部材がないため、生産性が高くなる。
【図面の簡単な説明】
【図１】本発明の第１の実施の形態の光スイッチの構成を示すブロック図である。
【図２】Ａは図１の光スイッチの断面概略図であり、Ｂは同上面概略図である。
【図３】図１の移動光学部材の構成を示すブロック図である。
【図４】図１の駆動回路の一例を示すブロック図である。
【図５】本発明の第２の実施の形態の光スイッチの要部図である。
【図６】本発明の第３の実施の形態の光スイッチの構成を示す図であり、Ａは要部正面図、Ｂは上面図である。
【図７】本発明の第４の実施の形態の光スイッチの構成を示す図であり、Ａは縦断面概略図であり、Ｂは同上面概略図、Ｃは側面概略図である。
【図８】本発明の第５の実施の形態の光スイッチの構成を示すブロック図である。
【図９】図８の光スイッチの平面概略図である。
【図１０】本発明の第６の実施の形態の光スイッチの構成を示すブロック図である。
【図１１】図１０の光スイッチの応用例を示すブロック図である。
【符号の説明】
１、２、３、４、５  光スイッチ
１０                  入力部
２０                  移動光学部材
２１                  光学部品
２２、５１            超音波アクチュエータ（圧電アクチュエータ）
３０                  駆動制御手段
３１                  駆動回路
３２                  制御手段
４０                  出力部
１００                  光束
【図１】
0004472902.tif 000002
【図２】
0004472902.tif 000003
【図３】
0004472902.tif 000004
【図４】
0004472902.tif 000005
【図５】
0004472902.tif 000006
【図６】
0004472902.tif 000007
【図７】
0004472902.tif 000008
【図８】
0004472902.tif 000009
【図９】
0004472902.tif 000010
【図１０】
0004472902.tif 000011
【図１１】
0004472902.tif 000012